(57)【要約】【課題】作業地内をキャンバスに見立て、任意のデザインを作業地に当てはめ、デザインにしたがって作業を行う自律走行作業システムを提供する。【解決手段】庭ＬＤ内をキャンバスに見立て、任意のデザインを庭ＬＤに当てはめ、デザインにしたがって作業を行う自律走行作業システム１であって、入力手段および入力情報を送信する情報端末１４０と、入力情報を受信するコンピュータ１００と、庭ＬＤ内を自律走行して作業する少なくとも１台の電動ローンモア１０とを備える。情報端末１４０が、表示手段１４４と、作業地入力手段１４６と、デザイン割当入力手段１４８と、作業依頼手段１５０とを備え、情報端末１４０または前記コンピュータ１００が、作業地指定手段１０６と、デザイン割当手段１０７と、マッピング経路作成手段１０８と、作業パターン作成手段１０９とを備える。【選択図】図１
2014103932.tif 000002
【特許請求の範囲】
【請求項１】
作業地内をキャンバスに見立て、任意のデザインを前記作業地に当てはめ、前記デザインにしたがって作業を行う自律走行作業システムであって、
入力手段および入力情報を送信する情報端末と、
該入力情報を受信するコンピュータと、
前記作業地内を自律走行して作業する少なくとも１台の作業車両とを備える自律走行作業システムであって、
前記情報端末が、前記作業地を含む地図画像を表示させるための表示手段と、
該表示部に表示された前記地図画像上に前記作業地を入力するための作業地入力手段と、
前記作業地に割当てる任意のデザインを入力するデザイン割当入力手段と、
作業を依頼する作業依頼手段とを備え、
前記情報端末または前記コンピュータが、前記地図画像上に入力された作業地から作業地の位置情報を作成する作業地指定手段と、
入力された前記デザインを前記作業地内に割当てるとともに、該デザインの位置情報と該デザインの濃淡情報を作成するデザイン割当手段と、
前記地図画像上に指定された作業地の地理的情報および、入力された前記デザインを作業情報として生成する作業情報作成手段とを備えること特徴とする自律走行作業システム。
【請求項２】
前記情報端末に前記デザインを作成するデザイン作成手段を備えることを特徴とする、請求項１に記載の自律走行作業システム。
【請求項３】
前記作業情報に基づいた作業料金の見積りを算出する作業料金算出手段を前記情報端末または前記コンピュータに備え、
前記作業の希望日時を入力する希望日時入力手段を前記情報端末に備え、
前記希望日時に基づいて前記作業の日程を管理する日程管理手段を前記コンピュータに備えることを特徴とする、請求項１または２のいずれかに記載の自律走行作業システム。
【請求項４】
前記デザイン割当手段は前記作業車両が作業可能な制約条件に基づきデザインを設定することを特徴とする、請求項１ないし３のいずれかに記載の自律走行作業システム。
【請求項５】
前記作業地の形状に適した推奨デザインを既存のデザインから抽出するデザイン抽出手段を前記情報端末または前記コンピュータに備えることを特徴とする、請求項１ないし４のいずれかに記載の自律走行作業システム。
【請求項６】
前記情報端末または前記コンピュータが、前記作業情報を格納する記憶手段を備え、
前記情報端末が備える前記作業依頼手段で前記作業情報に基づく作業を依頼することを特徴とする、請求項１ないし５のいずれかに記載の自律走行作業システム。
【請求項７】
前記作業依頼手段で作業を依頼する際に、前記作業に要する費用の決済を行うことを特徴とする、請求項１ないし６のいずれかに記載の自律走行作業システム。
【請求項８】
前記コンピュータが移動可能であることを特徴とする、請求項１ないし７のいずれかに記載の自律走行作業システム。
【請求項９】
前記作業が草刈作業であることを特徴とする、請求項１ないし８のいずれかに記載の自律走行作業システム。
【請求項１０】
前記作業車両の走行および作業が電動でなされることを特徴とする、請求項１ないし９のいずれかに記載の自律走行作業システム。
【発明の詳細な説明】
【技術分野】
【０００１】
作業地内をキャンバスに見立て、任意のデザインを作業地に当てはめ、デザインにしたがって作業を行う自律走行作業システムに関する。
【背景技術】
【０００２】
特許文献１には、ＧＰＳ衛星からのＧＰＳ電波信号を利用して自律走行する電動ローンモアを用いた自律走行作業システムの一例が開示されている。この文献では、基地局と電動ローンモアとの間で無線通信を行いながら自律走行にて芝刈りを行うことができるシステムが開示されている。
【先行技術文献】
【特許文献】
【０００３】
【特許文献１】特開２０１２−１０５５５７号公報
【発明の概要】
【発明が解決しようとする課題】
【０００４】
ところで、比較的広い庭などの芝生を刈る際に、芝生をキャンバスに見立てて画像や文字などデザインを描きたいという要請がある。この場合、画像や文字などのデザインを庭の形状に当てはめた上で芝刈りをする必要がある。しかし、画像や文字などのデザインを庭の形状に当てはめるための方法や、システムの利用者がこのデザインに従った芝の刈り取りの依頼を行うとともに、依頼された芝の刈り取りの実施や管理を行うシステムの構築はされていない。そこでこの発明は、作業地内をキャンバスに見立て、任意のデザインを作業地に当てはめ、デザインにしたがって作業を行う自律走行作業システムを提供することにある。
【課題を解決するための手段】
【０００５】
このため請求項１に記載の発明は、作業地内をキャンバスに見立て、任意のデザインを前記作業地に当てはめ、前記デザインにしたがって作業を行う自律走行作業システムであって、
入力手段および入力情報を送信する情報端末と、
該入力情報を受信するコンピュータと、
前記作業地内を自律走行して作業する少なくとも１台の作業車両とを備える自律走行作業システムであって、
前記情報端末が、前記作業地を含む地図画像を表示させるための表示手段と、
該表示部に表示された前記地図画像上に前記作業地を入力するための作業地入力手段と、
前記作業地に割当てる任意のデザインを入力するデザイン割当入力手段と、
作業を依頼する作業依頼手段とを備え、
前記情報端末または前記コンピュータが、前記地図画像上に入力された作業地から作業地の位置情報を作成する作業地指定手段と、
入力された前記デザインを前記作業地内に割当てるとともに、該デザインの位置情報と該デザインの濃淡情報を作成するデザイン割当手段と、
前記地図画像上に指定された作業地の地理的情報および、入力された前記デザインを作業情報として生成する作業情報作成手段とを備えること特徴とする。
【０００６】
請求項２に記載の発明は、請求項１に記載の自律走行作業システムにおいて、前記情報端末に前記デザインを作成するデザイン作成手段を備えることを特徴とする。
【０００７】
請求項３に記載の発明は、請求項１または２のいずれかに記載の自律走行作業システムにおいて、前記作業情報に基づいた作業料金の見積りを算出する作業料金算出手段を前記情報端末または前記コンピュータに備え、
前記作業の希望日時を入力する希望日時入力手段を前記情報端末に備え、
前記希望日時に基づいて前記作業の日程を管理する日程管理手段を前記コンピュータに備えることを特徴とする。
【０００８】
請求項４に記載の発明は、請求項１ないし３のいずれかに記載の自律走行作業システムにおいて、前記デザイン割当手段は前記作業車両が作業可能な制約条件に基づきデザインを設定することを特徴とする。
【０００９】
請求項５に記載の発明は、請求項１ないし４のいずれかに記載の自律走行作業システムにおいて、前記作業地の形状に適した推奨デザインを既存のデザインから抽出するデザイン抽出手段を前記情報端末または前記コンピュータに備えることを特徴とする。
【００１０】
請求項６に記載の発明は、請求項１ないし５のいずれかに記載の自律走行作業システムにおいて、前記情報端末または前記コンピュータが、前記作業情報を格納する記憶手段を備え、
前記情報端末が備える前記作業依頼手段で前記作業情報に基づく作業を依頼することを特徴とする。
【００１１】
請求項７に記載の発明は、請求項１ないし６のいずれかに記載の自律走行作業システムにおいて、前記作業依頼手段で作業を依頼する際に、前記作業に要する費用の決済を行うことを特徴とする。
【００１２】
請求項８に記載の発明は、請求項１ないし７のいずれかに記載の自律走行作業システムにおいて、前記コンピュータが移動可能であることを特徴とする。
【００１３】
請求項９に記載の発明は、請求項１ないし８のいずれかに記載の自律走行作業システムにおいて、前記作業が草刈作業であることを特徴とする。
【００１４】
請求項１０に記載の発明は、請求項１ないし９のいずれかに記載の自律走行作業システムにおいて、前記作業車両の走行および作業が電動でなされることを特徴とする。
【発明の効果】
【００１５】
請求項１に記載の発明によれば、作業地内をキャンバスに見立て、任意のデザインを前記作業地に当てはめ、前記デザインにしたがって作業を行う自律走行作業システムであって、入力手段および入力情報を送信する情報端末と、該入力情報を受信するコンピュータと、前記作業地内を自律走行して作業する少なくとも１台の作業車両とを備える自律走行作業システムであって、前記情報端末が、前記作業地を含む地図画像を表示させるための表示手段と、該表示部に表示された前記地図画像上に前記作業地を入力するための作業地入力手段と、前記作業地に割当てる任意のデザインを入力するデザイン割当入力手段と、作業を依頼する作業依頼手段とを備え、前記情報端末または前記コンピュータが、前記地図画像上に入力された作業地から作業地の位置情報を作成する作業地指定手段と、入力された前記デザインを前記作業地内に割当てるとともに、該デザインの位置情報と該デザインの濃淡情報を作成するデザイン割当手段と、前記地図画像上に指定された作業地の地理的情報および、入力された前記デザインを作業情報として生成する作業情報作成手段とを備える。
【００１６】
したがって、作業地内をキャンバスに見立て、任意のデザインを作業地に当てはめ、このデザインにしたがって作業を行う自律走行作業システムを提供することができる。また、システムの利用者は、作業の依頼を容易に行うことができる。これによって、例えば、比較的広い庭などの芝生を刈る際に、芝生をキャンバスに見立てて画像や文字などのデザインを簡便な依頼手法によって描くことが可能となる。
【００１７】
請求項２に記載の発明によてば、前記情報端末に前記デザインを作成するデザイン作成手段を備えることを特徴とするので、システムの利用者は、所望するデザインを任意に作成することができる。
【００１８】
請求項３に記載の発明によれば、前記作業情報に基づいた作業料金の見積りを算出する作業料金算出手段を前記情報端末または前記コンピュータに備え、前記作業の希望日時を入力する希望日時入力手段を前記情報端末に備え、前記希望日時に基づいて前記作業の日程を管理する日程管理手段を前記コンピュータに備えることを特徴とするので、作業料金の見積りに基づいて作業内容の見直しや変更、作業を依頼するかの判断をすることができる。また、システムの利用者が希望する日時に作業を行ってもらえるとともに、作業の日程管理が行える。
【００１９】
請求項４に記載の発明によれば、前記デザイン割当手段は前記作業車両が作業可能な制約条件に基づきデザインを設定することを特徴とするので、システムの利用者がデザインを作成する際、そのデザインに基づく作業が作業車両が作業可能な作業であるかの検討することがない。また、作業車両が作業可能なデザインに設定されるため、システムの利用者が作成したデザインに基づく作業がどのような作業となるかを作業の依頼前に把握することができる。これによって、システムの利用者は、作業の依頼を容易に行うことができる。
【００２０】
請求項５に記載の発明によれば、前記作業地の形状に適した推奨デザインを既存のデザインから抽出するデザイン抽出手段を前記情報端末または前記コンピュータに備えるので、システムの利用者にとって、デザインを作成する際の手助けとなり、システムの利用者のデザイン作成における労力を軽減できる。
【００２１】
請求項６に記載の発明によれば、前記情報端末または前記コンピュータが、前記作業情報を格納する記憶手段を備え、前記情報端末が備える前記作業依頼手段で前記作業情報に基づく作業を依頼することを特徴とするので、一度作成した作業情報は再度作成する必要がなく、システムの利用者の作業の依頼における労力を軽減できる。これによって、システムの利用者は、作業の依頼を容易に行うことができる。
【００２２】
請求項７に記載の発明によれば、前記作業依頼手段で作業を依頼する際に、前記作業に要する費用の決済を行うことを特徴とするので、システムの利用者およびシステムの提供者は、容易に決済を行うことができる。
【００２３】
請求項８に記載の発明によれば、前記コンピュータが移動可能であることを特徴とするので、作業地の近傍にコンピュータを配置することで、作業車両の動作をコンピュータで監視するとともに、作業車両の実際の動作を目視で確認することができ、より確実な作業を行うことができる。
【００２４】
請求項９に記載の発明によれば、前記作業が草刈作業であることを特徴とするので、ゴルフ場や広い庭などの芝に任意のデザインに従って芝刈りをすることができる。
【００２５】
請求項１０に記載の発明によれば、前記作業車両の走行および作業が電動でなされることを特徴とするので、エンジン駆動のように排気ガスを排出することがなく、大気汚染や地球温暖化を防止するのに役立つ。
【図面の簡単な説明】
【００２６】
【図１】この発明の自律走行作業システムの一例を説明するための図である。
【図２】その構成要素である電動ローンモアの構成ブロック図である。
【図３】その構成要素であるコンピュータの構成ブロック図である。
【図４】その構成要素である情報端末の構成ブロック図である。
【図５】自律走行作業システムによる芝刈り作業依頼のフローフローチャートである。
【図６】このシステムの依頼情報を入力するための画面の一例である。
【図７】このシステムの依頼情報を入力するための画面の一例である。
【図８】このシステムの依頼情報を入力するための画面の一例である。
【図９】このシステムの依頼情報を入力するための画面の一例である。
【図１０】このシステムの依頼情報を入力するための画面の一例である。
【図１１】このシステムの依頼情報を入力するための画面の一例である。
【図１２】このシステムの依頼情報を入力するための画面の一例である。
【図１３】このシステムの依頼情報を入力するための画面の一例である。
【図１４】このシステムの依頼情報を入力するための画面の一例である。
【図１５】このシステムの依頼情報を入力するための画面の一例である。
【図１６】このシステムの依頼情報を入力するための画面の一例である。
【図１７】その自律走行作業システムによる芝刈り作業のフローチャートである。
【図１８】立木と電動ローンモアとの接近距離を説明するための図である。
【図１９】芝の刈り取り高さを説明するための図である。
【発明を実施するための形態】
【００２７】
以下、図面を参照しつつ、この発明の実施の形態について詳述する。図１にはこの発明の一例の自律走行作業システムの概念図を示す。自律走行作業システム１は、ある程度以上の広さをもった庭（作業地）ＬＤの芝を刈りながら絵や文字などの任意のデザインを描くためのものであり、電動ローンモア（自律走行作業車両）１０に加えて、コンピュータ１００、複数のＧＰＳ衛星１２０、情報端末１４０などで構成される。電動ローンモア１０、コンピュータ１００、情報端末１４０は、ネットワーク１６０を介して接続されている。
【００２８】
なお、図示しないが、電動ローンモア１０を遠隔操作できる操作端末を有する構成としてもよく、操作端末は、例えば、前後左右に動かすことで電動ローンモア１０の走行方向や走行速度を操作できるジャイロスティックであってもよいし、タッチセンサによって表示部上に２次元的に画像表示されるボタンをタッチ操作するものであってもよい。また、図示しないが、コンピュータ１００とネットワークを介して接続されるサーバを有する構成としてもよく、コンピュータ１００に保存される各種データをサーバに格納し、必要なデータをサーバから読み出すようにしてもよい。
【００２９】
図２に示すように、電動ローンモア１０には、回転して芝を刈るためのモアブレード、モアブレードを回転させるためのモアモータ１５（左右一対）、モアモータ１５の回転方向と回転数を測定するための回転センサ１５Ｓ、電動ローンモア１０の走行タイヤを駆動させるための走行モータ１６（左右両輪にそれぞれ配置）、走行モータ１６の回転方向と回転数を測定する回転センサ１６Ｓ、ＧＰＳ衛星１２０からのＧＰＳ電波信号を受信するためのＧＰＳ受信手段ＳＥ１、ＧＰＳ受信手段ＳＥ１で受信したＧＰＳ電波信号をもとにして、電動ローンモア１０の地理的な位置を特定する位置検出手段ＤＴ、電動ローンモア１０とコンピュータ１００との間で通信するための通信手段ＳＥ２を備える。また、電動ローンモア１０を乗車操作する場合と自律走行する場合を切り替えるための乗車・自律切替スイッチＳＷ１、電動ローンモア１０のメイン電源をＯＮ・ＯＦＦするためのメインスイッチボタンＳＷ２、電動ローンモア１０を自律走行させてマッピングさせるためのマッピング開始ボタンＭＢ、選択ボタンＣＢ、記憶手段１７、マッピングによって地形図を作成する地形図作成手段１８、作業パターン修正手段１９なども備える。
【００３０】
また、このほか、（一対のモアブレードを覆うように配置された）モアデッキを自動昇降させるための昇降モータＤＭ、昇降モータＤＭと連結されて昇降高さを検出する昇降センサＤＳ、電動ローンモア１０の水平面に対する３次元的な傾きを測定するためのモーションセンサＭＳなどを備える。
【００３１】
なお、通信手段ＳＥ２は、コンピュータ１００からの作業パターン（後述）や地図データを受信したり、電動ローンモア１０の動作情報をコンピュータ１００に送信したりする。動作情報としては、回転センサ１５Ｓで測定されたモアモータ１５の回転数や回転方向、回転センサ１６Ｓで測定された走行モータ１６の回転数や回転方向、さらに、昇降センサＤＳで測定されたモアデッキの高さ、加えて、モーションセンサＭＳで測定された電動ローンモア１０の水平面に対する３次元的な傾斜角度などがある。
【００３２】
さらに、コンピュータ１００から受信した地図情報とマッピングによって作成された地形図情報に基づいてコンピュータ１００から受信した作業パターンを修正する作業パターン修正手段１９を備え、図示しないが周囲の状況を撮像するカメラを備えてもよい。
【００３３】
上記、モアモータ１５、回転センサ１５Ｓ、走行モータ１６、回転センサ１６Ｓ、ＧＰＳ受信手段ＳＥ１、通信手段ＳＥ２、位置検出部ＤＴ、乗車・自律切替スイッチＳＷ１、メインスイッチボタンＳＷ２、マッピング開始ボタンＭＢ、選択ボタンＣＢ、記憶手段１７、地形図作成手段１８、昇降モータＤＭ、昇降センサＤＳ、モーションセンサＭＳ、作業パターン修正手段１９、は、全て、制御手段１１に接続されており、制御手段１１の制御下で動作する。
【００３４】
コンピュータ１００には、図３に示すように、制御手段１０１、通信手段１０２、記憶手段１０３、表示手段１０４、利用者特定手段１０５、作業地指定手段１０６、デザイン割当手段１０７、マッピング経路作成手段１０８、作業パターン作成手段１０９、作業料金算出手段１１０、日程管理手段１１１、作業監視手段１１２、遠隔操作手段１１３などを備える。なお、コンピュータ１００は移動可能に形成されてもよい。
【００３５】
通信手段１０２は、電動ローンモア１０から動作情報を受信したり、電動ローンモア１０へ作業パターンを送信したりする。加えて、通信手段１０２は、情報端末１４０との間で通信を行う。
【００３６】
記憶手段１０３は、庭ＬＤを含み位置情報を有する地図情報を格納したり、後述する複数のデザインの画像、利用者情報情報、作業情報などを格納したりする。
【００３７】
利用者特定手段１０５は、利用者情報に基づいて利用者を特定するものであって、例えば、利用者毎に利用者ＩＤとパスワードを作成し、その利用者ＩＤとパスワードによって利用者を特定するものである。
【００３８】
作業地指定手段１０６は、庭ＬＤを含み位置情報を有する地図情報と入力された作業地の境界から、その境界における位置情報を作成するものである。
【００３９】
デザイン割当手段１０７は、庭ＬＤを含み位置情報を有する地図情報と入力されたデザインの画像から、そのデザインを構成する線図の位置情報とその位置における線図の濃淡情報を作成するものである。
【００４０】
マッピング経路作成手段（作業情報作成手段）１０８は、後述するマッピングを行う際の電動ローンモア１０の走行経路を作成するものである。
【００４１】
作業パターン作成手段（作業情報作成手段）１０９は、情報端末１４０から送信される作業地やデザインなどに基づいて電動ローンモア１０の作業パターン（移動経路や芝を刈る位置、芝の刈り取り高さなど）を算出するためのものである（詳細は後述）。
【００４２】
作業料金算出手段１１０は、作業情報などに基づいた作業料金の見積りを算出するためのものである。
【００４３】
日程管理手段１１１は、利用者の芝刈り希望日時に応じて芝刈りを行うことができるかを判断し、芝刈りの日程をスケジューリングするためのものである。
【００４４】
作業監視手段１１２は、電動ローンモア１０の自律走行の動作状態を監視するものであって、例えば、電動ローンモア１０の現在位置、走行方向、走行速度、走行方向、モアデッキの高さ、モアブレードの回転速度などを表示手段１０４に表示させて監視する。
【００４５】
遠隔操作手段１１３は、電動ローンモア１０を遠隔操作するものであり、電動ローンモア１０の各種操作（前進、後退、停止、旋回、モアデッキの昇降、モアブレードの回転および停止など）を行え、緊急時に電動ローンモア１０の動作を停止させる緊急停止ボタンなども備える。
【００４６】
通信手段１０２、記憶手段１０３、表示手段１０４、利用者特定手段１０５、作業地指定手段１０６、デザイン割当手段１０７、マッピング経路作成手段１０８、作業パターン作成手段１０９、作業料金算出手段１１０、日程管理手段１１１、作業監視手段１１２、遠隔操作手段１１３は、全て、制御手段１０１に接続されており、制御手段１０１の制御下で動作する。
【００４７】
ＧＰＳ衛星１２０は、ＧＰＳ電波信号を発信する衛星である。
【００４８】
情報端末１４０は、自律走行作業システム１の利用者（顧客）が操作するとともに、コンピュータ１００と通信する。情報端末１４０は、システムの利用者が常に携帯できるものが好適であるが、ネットワーク１６０を介してコンピュータ１００と接続できる端末であればよく、モバイル方コンピュータ、デスクトップ型コンピュータ等でもよい。
【００４９】
情報端末１４０には、図４に示すように、制御手段１４１、通信手段１４２、記憶手段１４３、表示手段１４４、利用者情報入力手段１４５、作業地入力手段１４６、デザイン形成手段１４７、デザイン割当入力手段１４８、希望日時入力手段１４９、作業依頼手段１５０などを備える。
【００５０】
通信手段１４２は、コンピュータ１００と通信するためのものである。
【００５１】
表示手段１４４は、作業の依頼に必要な情報を入力するための画像データを表示するためのものであり、例えば、庭ＬＤを含み位置情報を有する地図情報の画像（航空写真の画像などであってもよい）や庭ＬＤに描くデザインの画像などを表示するためのものである。
【００５２】
利用者情報入力手段１４５は、利用者の氏名、利用者の住所、利用者が決済に用いるクレジットカード番号やその有効期限などを入力するものである。
【００５３】
作業地入力手段１４６は、作業地である庭ＬＤの範囲を指定する境界を入力するものである。例えば、表示手段１４４がタッチセンサによる入力手段を有し、表示手段１４４に庭ＬＤを含み位置情報を有する地図画像（航空写真の画像などであってもよい）を表示し、利用者が表示手段１４４上で地図画像を参照しながら地図画像上で任意に作業地である庭ＬＤの範囲を指定する境界を描くものである（作業地入力手段１４６にて作成される境界は、リアルタイムで表示手段１４４に表示される）。なお、その他の既存の描画作成手法を用いて、作業地である庭ＬＤの範囲を指定する境界を描くものであってもよい。また、予めコンピュータ１００にて形成された作業地の境界における位置情報が記憶手段１０３に格納されている場合は、その位置情報を選択することによって作業地を入力するものであってもよい。
【００５４】
デザイン形成手段１４７は、例えば、表示手段１４４がタッチセンサによる入力手段を有し、利用者が表示手段１４４上で任意に描画を作成するためのものである（デザイン形成手段１４７にて作成される描画は、リアルタイムで表示手段１４４に表示される）。なお、その他の既存の描画作成手法を用いて、描画を作成するものであってもよい。
【００５５】
デザイン割当入力手段１４８は、作業地である庭ＬＤ内に割当てるデザインを入力するものである。例えば、予めコンピュータ１００の記憶手段１０３にデザインの画像が格納されている場合は、そのデザインの画像を選択することによって作業地である庭ＬＤ内に割当てるものであり、庭ＬＤ内に割当てられたデザインを表示手段１４４に表示する。
【００５６】
希望日時入力手段１４９は、利用者が作業である芝刈りを行って欲しい日時を入力するものである。
【００５７】
作業依頼手段１５０は、利用者が最終的に作業の依頼を行うものである。なお、作業の依頼時に、事前に入力した利用者のクレジットカードを用いて決済を行ってもよく、入力した利用者のクレジットカードを用いて決済する旨の確認をし、利用者が決済する意思を入力し、信販会社における代金決済手続が行われるものであってもよい。
【００５８】
制御手段１４１、通信手段１４２、記憶手段１４３、表示手段１４４、利用者情報入力手段１４５、作業地入力手段１４６、デザイン形成手段１４７、デザイン割当入力手段１４８、希望日時入力手段１４９、作業依頼手段１５０は、全て、制御手段１４１に接続されており、制御手段１４１の制御下で動作する。
【００５９】
また、情報端末１４０で選択または入力された情報は、適宜ネットワーク１６０を介してコンピュータ１００に送信され、コンピュータ１００が備える各種手段で用いたり、記憶手段１０３に格納される。
【００６０】
また、情報端末１４０は、電動ローンモア１０を遠隔操作できる遠隔操作手段を備える構成としてもよく、電動ローンモア１０の各種操作（前進、後退、停止、旋回、モアデッキの昇降、モアブレードの回転および停止など）を行え、緊急時に電動ローンモア１０の動作を停止させる緊急停止ボタンなども備える。
【００６１】
ネットワーク１６０は、電動ローンモア１０とコンピュータ１００とを、コンピュータ１００と情報端末１４０とを通信可能にするものであればよく、例えば電話通信網やインターネットなどであり、電動ローンモア１０とコンピュータ１００とを接続するネットワーク１６０と、コンピュータ１００と情報端末１４０とを接続するネットワーク１６０が異なるものであってもよい。
【００６２】
次に、このような構成の自律走行作業システム１を用いて、庭ＬＤの芝に絵を描く作業依頼の一例について、図１〜４を参照しつつ、図５〜１６を用いて説明する。
なお、図５は、芝刈り作業依頼のフローを示し、図６〜１６は、このシステムの依頼情報を入力するための画面の一例を示す。
【００６３】
この自律走行作業システム１の利用者は、情報端末１４０を用いてコンピュータ１００にネットワーク１６０を介してアクセスする。作業の依頼に必要な情報を入力するための画面データがネットワーク１６０を介して送信され、入力画面が情報端末１４０の表示手段１４４に表示される。表示された画面の指示に従って、利用者は、作業の依頼に必要な情報を入力する。なお、入力順序は適宜変更可能である。
【００６４】
まず、この自律走行作業システム１を利用する利用者を特定する（Ｓ１１）。利用者の情報を事前に登録していない場合は、利用者を特定するための利用者情報、例えば、氏名、住所、決済をするためのクレジットカード番号、そのクレジットカード番号の有効期限等を入力する。
【００６５】
例えば、入力画面の一例である図６において、ボタンＢ２（会員登録）を選択することで、図示しない入力画面に移行し、利用者の情報を入力する。入力された利用者の情報は、コンピュータ１００の記憶手段１０３に格納される。コンピュータ１００の利用者特定手段１０５によって、この利用者の情報と関連付けられた利用者ＩＤとパスワードを作成し、コンピュータ１００の記憶手段１０３に格納される。作成された利用者ＩＤとパスワードは、情報端末１４０に送信され、情報端末１４０の表示手段１４４に表示する。
【００６６】
利用者の情報を事前に登録してある場合は、図６に示す入力画面において、ボタンＢ１（会員ログイン）を選択し、図７に示す入力画面に移行し、利用者ＩＤとパスワードを入力欄ＩＮ１，ＩＮ２に入力する。入力された利用者ＩＤとパスワードによって利用者を特定する。ここで、ボタンＢ３（戻る）を選択することで一つ前の入力画面に移行することができる。後述するいずれの入力画面にもボタンＢ３（戻る）を適宜設けてもよい。なお、この自立走行作業システム１を利用する利用者を特定することができればよいため、特定方法は上述の方法に限定されるものではない。
【００６７】
次に、芝刈りを行う作業地である庭ＬＤを指定する（Ｓ１２）。庭ＬＤの境界を入力し、庭ＬＤを含み位置情報を有する地図情報と入力された庭ＬＤの境界から、その境界の位置情報を確定する。
【００６８】
利用者が特定されると、図８に示す入力画面に移行する。ボタンＢ４（芝刈りの作業地を指定する）を選択すると、図９に示す入力画面に移行する。なお、図８に示す入力画面には後述する芝刈りデザインの新規作成を行う入力画面へと移行するボタンＢ５（芝刈りデザインの新規作成）を有してもよい。
【００６９】
図９に示す入力画面において、作業地である庭ＬＤの住所もしくは近傍の住所を入力欄ＩＮ３に入力すると、図１０に示す入力画面のように、コンピュータ１００の記憶手段１０３に格納された地図情報を基に入力された住所を含む周辺の地図画像がＳＣに表示される。ここで、地図画像は航空写真の画像であってもよく、特に限定されない。なお、この地図画像は、地理的な位置情報、例えば、地図画像上の各位置での緯度や経度などの情報を有している地図情報である。また、表示された地図画像を拡大・縮小表示させるためボタンＢＡを備えるが、地図画像を回転表示させることができてもよい。
【００７０】
次に、作業地である庭ＬＤの範囲を指定する境界を入力する。ボタンＢ６を選択し、図１１に示す入力画面のように、ＳＣに表示された地図画像上に庭ＬＤの範囲を指定する境界を入力する。コンピュータ１００の作業地指定手段１０６によって、庭ＬＤを含み位置情報を有する地図情報と入力された庭ＬＤの境界から、その境界における位置情報を作成するとともに、コンピュータ１００の記憶手段１０３に格納する。なお、芝刈りを行う作業地である庭ＬＤを指定する境界を入力することができればよいため、境界の入力方法は上述の方法に限定されるものではない。
【００７１】
また、作業地である庭ＬＤの指定は、コンピュータ１００の記憶手段１０３に記憶されている既成の複数の作業地（作業地の境界の位置情報）から１つを選択する構成としてもよく、例えば、図９に示す入力画面において、ボタンＢ７（既存の候補地へ）を選択することで、コンピュータ１００の記憶手段１０３に記憶されている複数の作業地をサムネイルで表示させる画面（不図示）に移行し、表示された複数の作業地から１つを選択することで、作業地を指定してもよい。なお、芝刈りを行う作業地である庭ＬＤを指定することができればよいため、作業地の指定方法は上述の方法に限定されるものではない。
【００７２】
次に、庭ＬＤの芝を刈るデザイン（芝刈りデザイン）を決定する（Ｓ１３）。芝刈りデザインの決定にあたっては、次の３つの方法があり、いずれの方法を用いてもよい。（１）コンピュータ１００の記憶手段１０３に記憶されている既成の複数のデザインデータから１つを選択する。（２）情報端末１４０を用いて作業者が自らデザインを描きデザインデータを作成する。（３）写真や絵等の画像データをインポートして、加工・作成する。
【００７３】
（１）の方法の場合、図１１に示す入力画面において、ボタンＢ８（デザイン画面へ）を選択することで、図１２に示すデザインの決定方法を選択する画面に移行する。ボタンＢ９（既存の芝刈りデザインから選ぶ）を選択することで、図１３の入力画面に示すように、コンピュータ１００の記憶手段１０３に格納されている複数のデザインデータをサムネイルで表示させる。表示された複数のデザインデータから１つを選択することで、コンピュータ１００のデザイン割当手段１０７によって、選択されたデザインデータが作業地の地図画像に割り当てられ、図１４に示すように、割当てられた画像がＳＣに表示される。
【００７４】
（２）の方法の場合、図１２に示す入力画面において、ボタンＢ１０（新規デザインを作成する）を選択することで、デザイン形成手段１４７を扱う入力画面（不図示）に移行する。このデザイン形成手段１４７を用いて利用者が自らで自由に描画・作図し、デザインデータを作成し、コンピュータ１００に送信するとともに、コンピュータ１００の記憶手段１０３に格納する。この場合、入力された線を既存の補正手段によって直線、曲線となるように補正してもよい。また、庭ＬＤを含む地図画像が表示されている上でデザインを作成する構成としてもよく、利用者は作成したデザインに基づく芝刈りがどのようになるのかを確認しながらデザインを作成することができる。
【００７５】
（３）の方法の場合、図１２に示す入力画面において、ボタンＢ１１（デザインをインポートする）を選択することで、デザインデータを取り込むための画面（不図示）に移行し、写真や絵などの画像データ（デザインデータ）をコンピュータ１００の記憶手段１０３に格納する。そして、（１）の場合と同様に、ボタンＢ８（既存のデザインから選ぶ）を選択することで、コンピュータ１００の記憶手段１０３に記憶されている複数のデザインデータをサムネイルで表示させる画面に移行する。表示された複数のデザインデータから１つを選択することで、コンピュータ１００のデザイン割当手段１０７によって、選択されたデザインデータが作業地の地図画像に割り当てられ、割当てられた画像がＳＣに表示される。
【００７６】
なお、いずれの手法においても、デザイン割当手段１０７は、デザインデータを作業地の地図画像に割り当てるとともに、そのデザインを構成する線図の位置情報とその位置におけるデザインの線図の濃淡情報を作成し、コンピュータ１００の記憶手段１０３に格納する。
【００７７】
ここで、いずれのデザイン決定手法においても、割当てるデザインデータを拡大、縮小、回転、濃淡の補正等の加工をして割当てることができてもよい。
【００７８】
また、電動ローンモア１０の性能によって描けるデザインに制約（線の幅や芝刈り高さなどによって表現するデザインの濃淡など）が発生するが、いずれのデザイン決定手法においても、選択されたデザインをコンピュータ１００のデザイン割当手段１０７によって電動ローンモア１０の制約に基づいたデザインに変更してもよい。したがって、利用者は選択したデザインで芝刈りが可能であるかを検討することがなく、選択したデザインに基づく芝刈りがどのようになるのかを依頼前に把握することができ、それに基づいてデザインの決定および変更を行うことができる。
【００７９】
なお、芝刈りデザインの決定は上述の手法に限定されるものではなく、例えば、コンピュータ１００に不図示のデザイン抽出手段を備え、このデザイン抽出手段によって、庭ＬＤの形状等に適したいくつかの推奨デザインを、コンピュータ１００の記憶手段１０３に格納されている複数のデザインデータから抽出してサムネルで表示させる。そして、（１）の場合と同様に、表示された複数のデザインデータから１つを選択する手法であってもよい。この場合は、システムの利用者にとってデザインを作成する際の手助けとなり、システムの利用者のデザイン作成における労力を軽減できる。
【００８０】
次に、庭ＬＤの詳細な地面の形状（地形情報）を含む地形図情報を作成する（マッピング）ための電動ローンモア１０の移動経路（マッピング経路）を作成する（Ｓ１４）。マッピング経路は、コンピュータ１００のマッピング経路作成手段１０８によって作成し、記憶手段１０３に格納する。マッピング経路は、コンピュータ１００の記憶手段１０３に格納された地図情報と庭ＬＤの境界の位置情報などに基づいて作成されるが、その経路の作成手法は特に限定されるものではない。また、庭ＬＤ内の全てをマッピングできる経路であれば特に限定されるものではなく、例えば、庭ＬＤ内を略２ｍ間隔で走行する経路である。
【００８１】
次に、芝刈り時における電動ローンモア１０の移動経路、芝刈り位置、その芝刈り位置における芝刈り高さなどの作業パターンを作成する（Ｓ１５）。作業パターンは、コンピュータ１００の作業パターン作成手段１０９によって作成する。作業パターンは、コンピュータ１００の記憶手段１０３に格納された地図情報、庭ＬＤの境界の位置情報、庭ＬＤに割当てられたデザインを構成する線図の位置情報とその位置におけるデザインの線図の濃淡情報などに基づいて作成されるが、その作成手法は特に限定されるものではない。
【００８２】
次に、芝刈り作業の日程管理を行う（Ｓ１６）。利用者の芝刈り希望日時に応じて芝刈りを行うことができるかを判断し、芝刈りの日程をスケジューリングする。なお、日程管理では、芝刈りを行うことができる日時を確定することができればよく、芝刈りが行うことができる日時を利用者に提示し、利用者が提示された日時から選択する構成であってもよく、特に日程管理手法は限定されない。
【００８３】
デザインが決定した後、図１４に示す入力画面において、ボタンＢ１２（作業日の入力へ）を選択することで、図１５に示す作業日を入力する入力画面に移行する。芝刈り希望日および希望開始時刻を入力欄ＩＮ４およびＩＮ５に入力することで、コンピュータ１００の日程管理手段１１１によって希望の日時に芝刈りが可能か判断する。コンピュータ１００の日程管理手段１１１は、作業希望日時、作業パターンなどに基づいて、芝刈りが可能であるかを判断する。希望の日時に芝刈りが可能である場合には、希望日時をコンピュータ１００の記憶手段１０３に格納する。希望の日時に芝刈りが不可能である場合には、希望日時を入力する入力画面に移行し、再度希望日時を入力する警告を入力画面に表示する。なお、芝刈り希望日および希望開始時刻の入力方法は特に限定されるものではなく、例えば、芝刈りが可能な日時をサムネイルで表示させ、表示された日時から１つを選択することで、芝刈り希望日および希望開始時刻を入力する構成としてもよい。
【００８４】
次に、作業料金の算出を行う（Ｓ１７）。コンピュータ１００の作業料金算出手段１１０は、庭ＬＤの場所、作業パターン、芝刈り希望日時などに基づいて作業料金を算出する。算出された作業料金は、コンピュータ１００の記憶手段１０３に格納されるとともに、図１６に示す入力画面のように作業料金をＯＵ１に表示する。なお、作業料金の算出手法は特に限定されないが、たとえば、庭ＬＤの面積や芝刈り時の電動ローンモア１０の走行経路の長さに基づいて算出してもよい。
【００８５】
次に、作業依頼の確定をする（Ｓ１８）。情報端末１４０の作業依頼手段１５０によって作業依頼の確定を行う。作業依頼の確定は、利用者の芝刈りを依頼する意思表示の確定をコンピュータ１００に送ることができればよく、特に限定されるものではない。図１６に示す入力画面において、ボタンＢ１４（これで決定）を選択することで、上述までの記載において行った入力情報（庭ＬＤ、デザイン、芝刈り日時等）に従って作業を依頼する意思表示をコンピュータ１００に送信し、コンピュータ１００の記憶手段１０３に格納し、作業依頼の確定を行う。なお、作業の依頼時に、入力した利用者のクレジットカードを用いて決済を行ってもよく、入力した利用者のクレジットカードを用いて決済する旨の確認をし、利用者が決済する意思を入力し、信販会社における代金決済手続が行われるものであってもよい。
【００８６】
なお、上述の例では、情報端末１４０は、各種作業等の入力および表示に用いるものであったが、コンピュータ１００が有する、作業地指定手段１０６、デザイン割当手段１０７を備える構成であってもよく、情報端末１４０の記憶手段１４３に、地図情報、デザインデータ等を格納する構成であってもよい。
【００８７】
次に、このような構成の自律走行作業システム１を用いて、庭ＬＤの芝に絵を描く方法について、図１〜４を参照しつつ、図１７〜１９を用いて説明する。なお、図１７は、芝刈り作業のフローを示し、図１８は、立木と電動ローンモアとの接近距離を説明するための図であり、図１９は、芝の刈り取り高さを示す図である。
【００８８】
まず、電動ローンモア１０に地図情報および作業情報を送信する（Ｓ２１）。作業情報は、マッピング経路、作業パターンなどであり、電動ローンモア１０の記憶手段１７に格納する。そして、電動ローンモア１０を庭ＬＤに搬送して配置する（Ｓ２２）。
【００８９】
電動ローンモア１０に備えるマッピング開始ボタンＳＷ３を押すと、電動ローンモア１０の地理的な位置情報を位置検出手段ＤＴによって検出する（Ｓ２３）。詳しくは、ＧＰＳ受信手段ＳＥ１がＧＰＳ衛生１２０からのＧＰＳ電波信号を受信して、位置検出手段ＤＴにて電動ローンモア１０の地理的な位置情報を検出する。そして、マッピング経路をトレースするように走行し、レーザスキャナＬＳで地面の形状（地形情報）を読取る（Ｓ２４）。レーザスキャナＬＳが読取った地形情報とすでに電動ローンモア１０の記憶手段１７に格納されている庭ＬＤの境界の位置情報に基づいて、電動ローンモア１０の地形図作成手段１８によって地形図情報を作成し、記憶手段１７に格納する（Ｓ２５）。
【００９０】
次に、すでに電動ローンモア１０の記憶手段１７に格納されている地図情報とマッピングによって作成された地形図情報に基づいて、すでに電動ローンモア１０の記憶手段１０３に格納されている作業パターンを電動ローンモア１０の作業パターン修正手段１９によって修正する（Ｓ２６）。
【００９１】
次に、修正された作業パターンに従って芝刈り走行を開始する（Ｓ２７）。芝刈り走行に際しては、芝刈り走行開始ボタン１５９を押下する。すると、電動ローンモア１０が芝刈り走行を開始する。電動ローンモア１０の現在位置および走行方向は、走行情報（ＧＰＳ衛星１２０による位置情報、走行速度、走行方向など）を基に適宜補正し、電動ローンモア１０の現在位置、走行方向および修正された作業パターンに基づいて芝刈り走行（走行速度、走行方向、モアデッキの高さ、モアブレードの回転速度など）を制御手段１１によって制御する。
【００９２】
このようにして、庭ＬＤに所望のデザインに従って芝刈りを行う。なお、芝刈り走行中に、不慮の障害物など危険が生じたときには、コンピュータ１００の遠隔操作手段１１３における緊急停止ボタンによって電動ローンモア１０を緊急停止させることができる。
【００９３】
ところで、図１８に示すように、庭ＬＤに立木ＴＲなどの障害物が存在する場合、庭ＬＤのマッピング走行をしている際に、電動ローンモア１０が衝突しないように立木ＴＲを回避する必要がある。この例では、電動ローンモア１０の前部に赤外線センサＲＳを設けて、前方に向けて赤外線ＲＬを照射するとともに反射する赤外線ＲＬを検出し、電動ローンモア１０の走行方向の前方にある立木ＴＲを検出するように構成されている。赤外線センサＲＳでの検出情報は、電動ローンモア１０に備える制御手段１１に送信される。検出情報としては、立木ＴＲの幅、電動ローンモア１０から立木ＴＲまでの距離などである。
【００９４】
制御手段１１では、検出情報に基づいて電動ローンモア１０の走行方向を変更させたり、走行速度を変更したりして、立木ＴＲから一定距離Ｄ以内を走行することを回避する。立木ＴＲから一定距離Ｄ以内の位置情報を走行回避区域としてマッピングによって作成された地形図情報に含め、作業パターン修正手段１９によって作業パターンを修正する際、走行回避区域を走行しない走行経路に変更してもよい。
【００９５】
また、図１９に示すように、地面Ｇからの芝ＬＷの平均刈高さＨを予め設定し、その平均刈高さＨに対して、高さｈ２だけ高く芝ＬＷを刈り取る箇所、仮想刈取面ＡＰに対して、高さｈ１だけ低く芝ＬＷを刈り取る箇所を設定することもできる。このようにすることによって、庭ＬＤに形成する芝ＬＷの凹凸がより明確となり、より鮮明なデザインを形成することができる。このような制御は、電動ローンモア１０の制御手段１１にて行うものとする。
【００９６】
また、コンピュータ１００の作業監視手段１１２によって、電動ローンモア１０の現在位置、走行方向、走行速度、走行方向、モアデッキの高さ、モアブレードの回転速度などをモニターして監視する。電動ローンモア１０が周囲の状況を撮像するカメラを備える場合は、カメラが撮像した映像とともに監視してもよい。したがって、庭ＬＤから離れた場所のコンピュータ１００から電動ローンモア１０の作業状況を監視することができる。
【００９７】
なお、上述の例では、電動ローンモア１０が、送信された地図情報および作業情報（マッピング経路、作業パターンなど）に基づいて、単独で庭ＬＤのマッピング、庭ＬＤの地形図の作成、芝刈り走行を行うが、コンピュータ１００と連動して各種動作を行う構成としてもよい。例えば、コンピュータ１００が地形図作成手段１８を備え、電動ローンモア１０のレーザスキャナＬＳが読取った地形情報をコンピュータ１００に適宜送信し、コンピュータ１００で地形図情報を作成してもよい。また、コンピュータ１００が作業パターンを修正する作業パターン修正手段１９を備え、地図情報とマッピングによって作成された地形図情報に基づいて作業パターンを修正してもよい。また、芝刈り走行時における電動ローンモア１０の走行情報（ＧＰＳ衛星１２０による位置情報、走行速度、走行方向など）を適宜コンピュータ１００に送信し、電動ローンモア１０の芝刈り走行の制御をコンピュータ１００で行う構成としてもよい。
【００９８】
また、上述の例では、１台の電動ローンモア１０によって芝刈り作業を行うが、複数の電動ローンモア１０によって芝刈り作業を行う構成としてもよい。複数の電動ローンモア１０を協調・連携させて芝刈り区域または作業手順の役割分担を行うことができ、芝刈り作業時間の短縮を図れ、広域な作業地においては特に有益である。
【００９９】
さらに、電動ローンモア１０の動力源である不図示のバッテリーを充電する充電ステーションを別途有する構成としてもよい。このような構成であれば、電動ローンモア１０を、バッテリーの残存電力に基づいて、必要に応じて充電ステーションに自律的に帰還してバッテリーを充電し、充電完了後に芝刈り作業に復帰させることが可能となり、バッテリーの残存電力を気にすることなく芝刈り作業を行うことができ、バッテリーの充電のための作業地近傍での監視や充電作業をする必要がなくなる。
【０１００】
また、上述の例では、コンピュータ１００に、作業地指定手段１０６、デザイン割当手段１０７、デザイン抽出手段、マッピング経路作成手段１０８、作業パターン作成手段１０９、作業料金算出手段１１０を備える構成であるが、コンピュータ１００または携帯端末１４０に上記手段を備える構成であればよく、特に限定されるものではない。なお、携帯端末１４０に上記手段を備える場合は、コンピュータ１００の記憶手段１０３または携帯端末１４０の記憶手段１４３に各種データ（地図情報やデザインデータなど）を格納し、適宜これらのデータを用いて作業地の指定、デザインの割当、デザインの抽出、マッピング経路の作成、作業パターンの作成、作業料金の算出を行う。
【０１０１】
この例では、作業車両として電動ローンモア１０を用いたが、これに限定されるものではなく、エンジン駆動のローンモアに適用してもよい。
【０１０２】
また、この発明は上述の例に限定されるものではなく、発明の主旨を逸脱しない範囲内であらゆる形態を取ることができる。
【産業上の利用可能性】
【０１０３】
この発明の自律走行作業システムは、芝刈り作業に限定されるものではなく、地面に画像や文字を描く作業、スケートリンクの氷に画像や文字を描く作業など、作業地をキャンバスに見立て、画像および／または文字を基に形成した作業パターンにしたがって作業を行うあらゆる自律走行作業システムに適用しうる。
【符号の説明】
【０１０４】
１  自律走行作業システム
１０  電動ローンモア（作業車両）
１００  コンピュータ
１０３  記憶手段
１０５  利用者特定手段
１０６  作業地指定手段
１０７  デザイン割当手段
１０８  マッピング経路作成手段（作業情報作成手段）
１０９  作業パターン作成手段（作業情報作成手段）
１１０  作業料金算出手段
１１１  日程管理手段
１１２  作業監視手段
１２０  ＧＰＳ衛星
１４０  情報端末
１４３  記憶手段
１４４  表示手段
１４５  利用者情報入力手段
１４６  作業地入力手段
１４７  デザイン形成手段
１４８  デザイン割当入力手段
１４９  希望日時入力手段
１５０  作業依頼手段
１６０  ネットワーク
ＬＤ  庭（作業地）
【図１】
2014103932.tif 000003
【図２】
2014103932.tif 000004
【図３】
2014103932.tif 000005
【図４】
2014103932.tif 000006
【図５】
2014103932.tif 000007
【図６】
2014103932.tif 000008
【図７】
2014103932.tif 000009
【図８】
2014103932.tif 000010
【図９】
2014103932.tif 000011
【図１０】
2014103932.tif 000012
【図１１】
2014103932.tif 000013
【図１２】
2014103932.tif 000014
【図１３】
2014103932.tif 000015
【図１４】
2014103932.tif 000016
【図１５】
2014103932.tif 000017
【図１６】
2014103932.tif 000018
【図１７】
2014103932.tif 000019
【図１８】
2014103932.tif 000020
【図１９】
2014103932.tif 000021